(57)【要約】【課題】指標の投影が必要なとき、発光手段の発光を制御し、その指標を観察物体面上に投影することができる手術用顕微鏡を提供することにある。【解決手段】手術用顕微鏡で観察する物体２５の面上に指標を投影するレーザーダイオード１５ａ，１５ｂと、前記手術用顕微鏡の顕微鏡部２の焦準を変更するとき、前記レーザーダイオード１５ａ，１５ｂを駆動し、前記物体２５の面上に指標２８〜３４を投影させる制御回路を備え、前記制御回路は、前記顕微鏡部２の焦準状態を変更する操作を検知し、前記レーザーダイオード１５ａ，１５ｂの発光を制御する。【選択図】    図４
2005161086.tif 000002
【特許請求の範囲】
【請求項１】
対物光学系の焦準を調節する焦準機構を備えた顕微鏡部と、
前記対物光学系の焦点位置と関連付けられて物体面上に指標を投影する指標投影手段と、
前記焦準機構による焦準動作を検出する検出手段と、
前記検出手段からの信号に基づいて前記指標投影手段による指標の投影を制御する指標投影制御手段と、
を有することを特徴とする手術用顕微鏡。
【請求項２】
対物光学系の焦準を調節する焦準機構を備えた顕微鏡部と、
前記対物光学系の焦点位置と関連付けられて物体面上に指標を投影する指標投影手段と、
前記焦準機構による焦準動作を制御する焦準駆動制御手段と、
前記指標投影手段による指標の投影を制御する指標投影制御手段と、
前記焦準機構制御手段及び前記指標投影制御手段に制御信号を送信する焦準スイッチと、
を有することを特徴とする手術用顕微鏡。
【請求項３】
前記指標投影制御手段は、前記焦準機構の動作が停止されたとき、前記指標投影手段による指標の投影を停止させる制御を行うことを特徴とする請求項１または請求項２記載の手術用顕微鏡。
【請求項４】
移動自在に保持され、対物光学系の焦準を調節する焦準機構を備えた顕微鏡部と、
前記対物光学系の焦点位置と関連付けられて物体面上に指標を投影する指標投影手段と、
前記指標投影手段を駆動する騒動回路と、
前記顕微鏡部の位置ならびに観察角度を検出する位置検出装置と、
前記位置検出装置により検出した前記顕微鏡部の位置及び観察角度を予め設定してある設定値と比較する判定回路と、
前記判定回路が前記顕微鏡部の位置ならびに観察角度を予め設定してある設定値と異なると判断したとき、その結果により前記駆動回路を制御し、前記指標投影手段による指標の投影を停止させる制御回路と、
を有することを特徴とする手術用顕微鏡。
【発明の詳細な説明】
【技術分野】
【０００１】
本発明は、脳外科、眼科、形成外科などの分野で、特に微細部位の手術に使用される手術用顕微鏡に関する。
【背景技術】
【０００２】
近年、手術手法、手術器具の発達により手術用顕微鏡で拡大観察を行いながら微細部位の手術を行う、いわゆるマイクロサージャリーが頻繁に行われるようになってきた。特に、脳神経外科の分野では対象とする手術部位が脳であることから、術後の後遺症を避けるため、正常組織を傷付けることは避ける必要があり、非常に正確な手術が望まれていることは言うまでもない。そのため、最近では、より正確な手術を行うための補助手段として、手術用顕微鏡の観察位置や処置具の位置を検出し、術前の診断画像（ＣＴ、ＭＲＩ画像）上にその位置を表示するといった、いわゆるナビゲーション装置が使用されるようになってきた。手術用顕微鏡のナビゲーション装置においては、手術用顕微鏡の鏡体部に３ケ以上の発光ダイオードを取り付け、その位置をＣＣＤカメラで３角測距すると共に、手術用顕微鏡鏡体部の焦点距離情報を加え、観察位置を算出するといった光学式ナビゲーション装置が主流である。
【０００３】
このようなナビゲーション装置ではその焦点位置を手術用顕微鏡の観察位置として表示するため、術者はより正確な焦準が必要となる。
【０００４】
しかしながら、手術用顕微鏡では比較的凹凸の大きい術部を観察するため、その光学系の結像には比較的深い焦点深度が常に存在し、該焦点深度は数cmにも及ぶものである。このため、術者が観察対象部位に対して焦準作業を行い十分な鮮明度で見えているにも拘らず、観察対象部位が実際の焦点面の位置にないといったことが発生する。この場合、当然にナビゲーション装置で表示される手術用顕微鏡による観察位置は術者が認識している観察位置と大きくずれるといった事態になるので、手術を行う上で、その点の事情を考慮した細心の注意を払って慎重に作業を逐行する必要がある等、能率的な作業を行う上で支障を来していた。
【０００５】
このような問題を解決するために独国特許４１３４４８１号公報では顕微鏡の中間結像面上もしくは顕微鏡像を撮像するＴＶカメラの撮像素子上に２重クロス線を設け、また、対物光学系の中心光軸上にレーザーダイオードによるレーザー光線である、クロス線の光を入射させ、該クロス線を投影指標として観察対象物上に投影するようにしている。そして、前記中間結像面、もしくは撮像素子上において前記２重クロス線の中に、前記投影クロス線が入るように焦準操作することで正確な焦準を可能ならしめている。
【０００６】
一方、特表平９−５１２９２２号公報や独国特許４１３１７１７号公報等では正確な焦準を行うための別の方法として、いわゆるオートフォーカスが開示されている。
【特許文献１】独国特許４１３４４８１号公報
【特許文献２】特表平９−５１２９２２号公報
【特許文献３】独国特許４１３１７１７号公報
【発明の開示】
【発明が解決しようとする課題】
【０００７】
手術用顕微鏡においては、観察物体面に指標を投影する発光手段による不用意な指標の投影を防止し、看護婦などの手術スタッフの眼に指標が入射されるのを未然に防止することが望まれる。
【０００８】
そこで、本発明の目的は、指標の投影が必要なとき、その指標を観察物体面上に投影することができる手術用顕微鏡を提供することにある。
【課題を解決するための手段】
【０００９】
請求項１に係る発明は、対物光学系の焦準を調節する焦準機構を備えた顕微鏡部と、前記対物光学系の焦点位置と関連付けられて物体面上に指標を投影する指標投影手段と、
前記焦準機構による焦準動作を検出する検出手段と、前記検出手段からの信号に基づいて前記指標投影手段による指標の投影を制御する指標投影制御手段と、を有することを特徴とする手術用顕微鏡である。  
請求項２に係る発明は、対物光学系の焦準を調節する焦準機構を備えた顕微鏡部と、前記対物光学系の焦点位置と関連付けられて物体面上に指標を投影する指標投影手段と、
前記焦準機構による焦準動作を制御する焦準駆動制御手段と、前記指標投影手段による指標の投影を制御する指標投影制御手段と、前記焦準機構制御手段及び前記指標投影制御手段に制御信号を送信する焦準スイッチと、を有することを特徴とする手術用顕微鏡である。  
請求項３に係る発明は、前記指標投影制御手段は、前記焦準機構の動作が停止されたとき、前記指標投影手段による指標の投影を停止させる制御を行うことを特徴とする請求項１及び２記載の手術用顕微鏡である。  
請求項４に係る発明は、移動自在に保持され、対物光学系の焦準を調節する焦準機構を備えた顕微鏡部と、前記対物光学系の焦点位置と関連付けられて物体面上に指標を投影する指標投影手段と、前記指標投影手段を駆動する騒動回路と、前記顕微鏡部の位置ならびに観察角度を検出する位置検出装置と、前記位置検出装置により検出した前記顕微鏡部の位置及び観察角度を予め設定してある設定値と比較する判定回路と、前記判定回路が前記顕微鏡部の位置ならびに観察角度を予め設定してある設定値と異なると判断したとき、その結果により前記駆動回路を制御し、前記指標投影手段による指標の投影を停止させる制御回路と、を有することを特徴とする手術用顕微鏡である。
【発明の効果】
【００１０】
本発明によれば、観察物体面に指標を投影する発光手段を制御する制御手段を設けたため、指標の投影が不必要な場合、医師や看護婦などの手術スタッフの眼に指標が観察の邪魔にならず、手術中の観察がし易い。
【発明を実施するための最良の形態】
【００１１】
＜第１実施形態＞
図１乃至図６に基づいて本発明の第１実施形態を説明する。図１は光学式ナビゲーション装置の顕微鏡位置検出装置を含めた手術用顕微鏡のシステムを示す全体的構成の説明図、図２はその手術用顕微鏡の顕微鏡部の構成を示す説明図、図３は手術用顕微鏡の顕微鏡部の光学系の構成を示す説明図、図４は手術用顕微鏡における指標投影手段の駆動制御を示すブロック図、図５は手術用顕微鏡の焦準状態における顕微鏡焦点面と観察対象物の関係を示す状況説明図、図６（Ａ）（Ｂ）（Ｃ）は図５における各焦準状態において観察対象物に投影される投影指標の観察視野における観察像を示す説明図である。
【００１２】
（構成）
まず、図１に従い、手術用顕微鏡１の全体構成について説明する。手術用顕微鏡１は、顕微鏡部２と、この顕微鏡部２を所望の位置角度に変更、固定する鏡体俯仰アーム３と、この鏡体俯仰アーム３を懸垂するアーム４と、このアーム４を保持する架台５を備えて構成される。また、前記顕微鏡部２には発光素子６が取付けられ、この発光素子６は例えば、図示しない駆動回路によって赤外線を発光する３個のＬＥＤ６ａ，６ｂ，６ｃによって構成されている。
【００１３】
前記架台５とは別に位置検出装置７が設けられている。位置検出装置７には前記発光素子６のＬＥＤ６ａ，６ｂ，６ｃが発する赤外線を検知する２つのＣＣＤカメラ７ａ，７ｂが設けられ、この２つのＣＣＤカメラ７ａ，７ｂにより前記発光素子６のＬＥＤ６ａ，６ｂ，６ｃが発する赤外線による３次元的画像情報を検出する。位置検出装置７は後述するワークステーション２３と共に光学式ナビゲーション装置を構成する。この位置検出装置７はここで検出した３次元的画像情報を前記ワークステーション２３に送信すべくそのワークステーション２３に電気的に接続されている。
【００１４】
次に、図２及び図３に従って前記顕微鏡部２の部分における構成について説明する。顕微鏡部２は前方に位置する第１鏡体８と後方に位置する第２鏡体１１を有しており、図３に示すように、前方に位置する第１鏡体８には固定焦点式対物光学系である対物レンズ９と、左右一対のアフォーカル変倍光学系１０が収納されている。後方に位置する第２鏡体１１には左右一対の結像光学系１２及び左右一対の接眼光学系１３が収納されている。前記第１鏡体８は図２に示す駆動部１４ａと鏡体保持部１４ｂとから構成される焦準機構１４によって焦準操作がなされる。駆動部１４ａは鏡体俯仰アーム３に保持されており、この駆動部１４ａには鏡体保持部１４ｂを介して第１鏡体８が取り付けられている。第１鏡体８は鏡体保持部１４ｂに一体的に取り付けられている。前記駆動部１４ａの内部には図示しない駆動機構及び駆動モータが内蔵されている。そして、これらの駆動機構及び駆動モータは図示しないフットスイッチ等の入力手段からの入力信号によって、鏡体保持部１４ｂ、すなわち第１鏡体８を図２の矢印１１ａ，１１ｂ方向、すなわち観察光軸Ｏ1 ，Ｏ2 に平行な方向に移動させる手段を構成している。
【００１５】
図３で示す如く、第１鏡体８の内部には、マーカー用ＬＤ駆動回路１６ａ，１６ｂにより略円形のスポット光を発光させる発光手段であるレーザーダイオード１５ａ，１５ｂが固定されている。レーザーダイオード１５ａ，１５ｂによって発せられたスポット光はそれぞれリレーレンズ１７ａ，１７ｂによりプリズム１８ａ，１８ｂまでリレーされる。また、プリズム１８ａ，１８ｂは、各々のスポット光を、観察光軸Ｏ1 ，Ｏ2 方向に向かって反射させる。
【００１６】
図３で示す如く、前記アフォーカル変倍光学系１０と結像光学系１２の間には、前記プリズム１８ａ，１８ｂによって反射された各々のスポット光を、フォーカル光束中の観察光軸Ｏ1 ，Ｏ2 上に導く導光手段１９ａ，１９ｂが設置されている。本実施形態においての導光手段１９ａ，１９ｂはスポット光をアフォーカル光束中の観察光軸Ｏ1 ，Ｏ2 上に導くと同時に観察光束を結像光学系１２に導くビームスプリッタを利用して構成されている。
【００１７】
次に、前述した構成の指標投影手段の駆動制御系を図４に基づいて説明する。図４中、符号２１は、前記レーザーダイオード１５ａ，１５ｂの発光信号を入力する入力スイッチであり、これは、図示しないフットスイッチ等により構成されている。符号２２は、レーザーダイオード１５ａ，１５ｂの発光の制御手段として構成される判定回路であり、この判定回路２２は、ＬＤ駆動回路１６ａ，１６ｂに電気的に接続されている。
【００１８】
上述したように、ワークステーション２３には、位置検出装置７が接続されており、このワークステーション２３は、顕微鏡部２に取り付けられている前記発光素子６の空間座標信号によって顕微鏡部２の位置及び観察角度を算出し、この算出した顕微鏡部２の位置及び観察角度を判定回路２２に入力させる。
【００１９】
（作用）
以上の構成の作用を説明する。図５において、符号２４は顕微鏡部２の焦点面であり、符号２５は観察対象物であり、符号２６及び２７は前記顕微鏡部２の焦点深度Ｌの範囲を示している。
【００２０】
術者は、まず、鏡体俯仰アーム３を移動させ、観察対象物２５が顕微鏡部２の焦点深度Ｌの範囲内で、例えば図５における焦点深度Ｌの範囲２６の位置になるように前記顕微鏡部２を配置する。
【００２１】
次に、正確な焦準作業として焦点面２４を焦点深度Ｌの範囲２６の位置に移動させる。ここで、術者が図示しないフットスイッチなどの入力手段に設けられた入力スイッチ２１を押すと、該入力スイッチ２１から判定回路２２に入力信号が入力される。一方、位置検出装置７は、顕微鏡部２に取り付けられているＬＥＤ６ａ，６ｂ，６ｃのそれぞれの３次元空間画像情報をワークステーション２３に入力する。ワークステーション２３では前記ＬＥＤ６ａ，６ｂ，６ｃの３次元空間画像を計算すると共に、その位置から顕微鏡部２の位置ならびに観察角度を算出する。また、これにより得られた観察角度は判定回路２２に送信され、判定回路２２では本観察角度とあらかじめ設定してある設定値（例えば水平）と比較する演算を行う。そして、前記判定回路２２によって観察角度が設定値より小さい（観察光軸が下方）と判定された場合、その判定回路２２よりＬＤ駆動回路１６ａ，１６ｂに駆動信号が送信され、駆動回路１６ａ，１６ｂによってレーザーダイオード１５ａ，１５ｂは略円形状を有するスポット光を発光する。左右一対のスポット光は、リレーレンズ１７ａ，１７ｂ、プリズム１８ａ，１８ｂ、導光手段１９ａ，１９ｂによって観察光軸Ｏ1 ，Ｏ2 上に導かれ、アフォーカル変倍光学系１０及び対物レンズ９を介して観察対象物２５上に投影される。
【００２２】
このとき、観察対象物２５が図５における焦点深度Ｌの範囲２６の位置に存在する場合、観察点Ｐ’は焦点深度Ｌの範囲内に存在するため、術者により明瞭に観察されているものの、レーザーダイオード１５ａ，１５ｂによって観察物体面上に投影されたスポット光は顕微鏡観察視野において、図６（Ａ）に示すように、２つの略円形状を有する指標２８，２９として観察される。従って、術者は焦点面２４を焦点深度Ｌの範囲２６の位置、すなわち焦点Ｐを観察対象物２５上の観察点Ｐ’の位置に移動させるべく、図示しないフットスイッチなどにより前記焦準機構１４を操作し、前記第１鏡体８を図２中矢印１１ａ方向に移動させる。この操作に伴い前記指標２８，２９は図６（Ａ）に示すような矢印３０，３１の方向にそれぞれ移動し、焦点面２４が焦点深度Ｌの範囲２６の位置に達したとき、術者は図６（Ｂ）に示すような１つの指標３２として観察するから顕微鏡部２が正確な合焦状態であると判断する。
【００２３】
また、同様に観察対象物２５が焦点深度Ｌの範囲２７の位置に存在する場合にあっては、前記レーザーダイオード１５ａ，１５ｂによって発光されたスポット光は、顕微鏡観察視野内において図６（Ｃ）に示すように２つの指標３３，３４として観察される。術者は同様に焦点面２４を焦点深度Ｌの範囲２７の位置に移動させるべく、焦準機構１４を操作し、第１鏡体８を逆に矢印１１ｂ方向に移動させる。よって、指標３３，３４は図６（Ｃ）に示すような矢印３５，３６方向にそれぞれ移動し、焦点面２４が焦点深度Ｌの範囲２７の位置に達した時、図６（Ｂ）に示すように１つの指標３２として観察され、術者は顕微鏡部２が正確な合焦状態に達したものと判断する。
【００２４】
一方、上述のレーザーダイオード１５ａ，１５ｂの駆動状態において、術者が鏡体俯仰アーム３を操作し、顕微鏡部２の観察角度を変更した場合、位置検出装置７は顕微鏡部２に取り付けられた前記発光素子６のＬＥＤ６ａ，６ｂ，６ｃの位置を撮像し、それぞれの３次元空間画像情報をワークステーション２３に送信する。ワークステーション２３は前記ＬＥＤ６ａ，６ｂ，６ｃの３次元空間画像から、顕微鏡部２の位置ならびに観察角度を算出し、この観察角度の検出結果を前記判定回路２２に送信する。判定回路２２は本観察角度とあらかじめ設定してある設定値（例えば水平）とを再度比較演算を行い、新たに検出された観察角度が前述の設定値より大きいと判断された場合、ＬＤ駆動回路１６ａ，１６ｂに駆動停止信号が停止され、ＬＤ駆動回路１６ａ，１６ｂによるレーザーダイオード１５ａ，１５ｂの駆動が停止される。
【００２５】
（効果）
本実施形態は、観察対象物面上に２つの略円形状の指標を投影し、その合致状態で、正確な焦準判断を行うため、線状の投影指標に比べて眼の調整能力による誤った指標の合致判断を抑えることができ、より正確な合焦判断が可能となる。
【００２６】
また、前記顕微鏡部２の観察角度を検出することにより、顕微鏡部２の観察光軸Ｏ1 ，Ｏ2 が観察対象物以外の方向を向いている場合のレーザーダイオード１５ａ，１５ｂの不用意な発光による観察対象物以外への指標の投影を防止できるため、手術スタッフの眼に誤ってスポット光が入射することを未然に防ぐことができる。
【００２７】
なお、本実施形態においては、顕微鏡の観察角度検出手段として、光学式ナビゲーション装置を構成する位置検出装置７を使用したが、顕微鏡部２の内部にジャイロを設けたり、俯仰アーム３の各関節にエンコーダを取り付けたりして、アーム回転角度を検出することでも、前記同様の効果が得られることは言うまでもない。
【００２８】
＜第２実施形態＞
図７乃至図１１に基づいて本発明の第２実施形態を説明する。但し、第１実施形態と同名称、同番号のものは第１実施形態と同様であるので、ここでの具体的な説明は省略する。図７は本実施形態における顕微鏡部の光学系の構成図、図８は図７において紙面左方向から見た側面図であり、術者は紙面右側に位置する。図９は指標投影手段の駆動制御を示すブロック図、図１０は顕微鏡部の焦準状態における顕微鏡焦点面と観察対象物の関係を示す状況の説明図、図１１（Ａ）（Ｂ）（Ｃ）は図１０における焦準状態において観察対象物に投影される投影指標の顕微鏡観察視野における観察像を示す説明図である。
【００２９】
（構成）
図７及び図８に従い、顕微鏡部２の光学系について説明する。図７及び図８中、符号４０は焦点距離可変対物光学系であって、これは２つ以上のレンズ群から構成され、該レンズ群の間隔を変化させることによって焦点面２４の位置を変更可能なものである。符号４１は焦点距離可変対物光学系４０の出射するアフォーカル光束の全て、もしくはそのほとんどを包含する一つのアフォーカル変倍光学系であって、結像光学系１２によって左右一対の左右眼像を形成すべく接眼光学系１３に光学的に接続されている。図８において示す符号４２ａ，４２ｂは観察光軸Ｏ1 ，Ｏ2 を含む平面に対して対称な位置に配置される２つの投影光軸Ｏ3 ，Ｏ4 を持つように、前記アフォーカル変倍光学系４１と結像光学系１２の間に配置された導光手段であり、本実施形態においては、プリズムにて構成されている。レーザーダイオード１５ａ，１５ｂ及びリレーレンズ１７ａ，１７ｂは第１鏡体８内においてプリズム４２ａ，４２ｂと共に光学的に接続固定されている。
【００３０】
また、図９において、符号４４は図示しないフットスイッチ等の入力手段としての焦準スイッチであって、前記焦点距離可変対物光学系４０のレンズ群間隔を変更する図示しない焦準機構を駆動するための信号を入力するものである。焦準スイッチ４４はレーザーダイオード１５ａ，１５ｂの駆動制御手段として構成される制御回路４５に接続されている。制御回路４５は前記焦準機構を駆動する焦準駆動回路４６と前記マーカー用ＬＤ駆動回路１６ａ，１６ｂと電気的に接続されている。
【００３１】
（作用）
以上の構成の作用を説明する。術者は、まず、第１実施形態と同様に鏡体俯仰アーム３を移動させ、観察対象物２５が焦点深度Ｌの範囲内、例えば図１０における焦点深度Ｌの範囲２６の位置になるように前記顕微鏡部２を配置する。次に、焦点面２４を焦点深度Ｌの範囲２６の位置に配置し、焦点Ｐを観察対象物２５上の観察点Ｐ’の位置に移動させるといった正確な焦準作業を行うために、焦準スイッチ４４を入力する。焦準スイッチ４４から入力信号が制御回路４５に送信され、制御回路４５は入力信号に従って、焦点距離可変対物光学系４０の焦準機構を駆動する焦準駆動回路４６に駆動信号を出力し、焦準駆動回路４６によって、前記焦点距離可変対物光学系４０のレンズ群の間隔が変更され、焦点面２４の位置が変更される。
【００３２】
一方、制御回路４５は入力スイッチとしての焦準スイッチ４４からの入力信号によってマーカー用ＬＤ駆動回路１６ａ，１６ｂに駆動信号を出力し、ＬＤ駆動回路１６ａ，１６ｂによって、レーザーダイオード１５ａ，１５ｂが略円形状を有するスポット光を発光する。レーザーダイオード１５ａ，１５ｂから発せられたスポット光はリレーレンズ１７ａ，１７ｂによってプリズム４２ａ，４２ｂに導かれ、プリズム４２ａ，４２ｂによって、左右観察光軸Ｏ1 ，Ｏ2 を含む平面に対して略対称な光軸Ｏ3 ，Ｏ4 を経て、アフォーカル変倍光学系４１、焦点距離可変対物光学系４０を介して観察対象物２５上に投影される。然るに、観察対象物２５上に投影された２つのスポット光は図１１（Ａ）に示す如く、その観察内において上下方向に２つの略円形状を有した指標４７，４８として観察される。さらに、上述のように術者が焦準作業を行い、焦点面２４を移動させ、点Ｐを観察対象物２５上の観察点Ｐ’の位置に移動させることによって、指標４７，４８は図１１（Ａ）に示す矢印４９，５０の方向に移動し、焦点面２４上の点Ｐが観察点Ｐ’に一致した際、図１１（Ｂ）に示すように合致し、１つの指標５１として観察される。この時、術者は正確な合焦状態と判断し、焦準スイッチ４４の入力操作を停止する。従って、制御回路４５は焦準駆動回路４６、ＬＤ駆動回路１６ａ，１６ｂへの駆動信号を停止し、焦準操作が停止されると共に、レーザーダイオード１５ａ，１５ｂによるスポット光の発光も停止される。
【００３３】
また、観察対象物２５が焦点深度Ｌの範囲２７の位置にある場合も同様に、術者の焦準作業によって観察対象物２５上におけるスポット光は観察視野内において図１１（Ｃ）に示すごとく、術者に対して上下方向に略円形状を有する２つの指標５２，５３として観察され、この場合も焦準操作を行うことによって２つの指標５２，５３は矢印５４，５５方向にそれぞれ移動し、焦点面２４上の点Ｐが観察対象物２５上の観察点Ｐ”上に一致した状態で、図１１（Ｂ）に示すように合致し、１つの指標５１として観察され、術者は正確な合焦状態と判断する。
【００３４】
（効果）
本実施形態では観察対象物面上に２つの略円形状の指標が、術者に対して垂直方向に観察されることで、観察視野内における焦準操作による指標の移動も垂直方向となり、投影指標が左右方向に移動しない。従って、観察視野において上下方向にずれた指標を観察する際、眼の調整能力による左右像の合致を完全に防止することができるので、２つの指標が微妙に一致していない場合であっても非合焦状態と判断することが可能となり、より正確な焦準作業が可能となる。
【００３５】
また、指標投影は、焦点距離可変対物光学系４０による焦準操作中のみ行われる。焦準操作は少なくとも観察対象物が観察光軸Ｏ1 ，Ｏ2 上に存在する時の操作であるため、指標が誤って観察対象物以外に対して照射されることを防止できるため、手術スタッフの眼に誤ってスポット光が入射することを未然に防ぐことができる。さらに前記レーザーダイオード１５ａ，１５ｂは焦準操作に伴って点灯、消灯するため、点灯に際して入力用焦準スイッチ４４を操作する必要がなくなり、操作性の向上にもつながる。
【００３６】
＜第３実施形態＞
図１２乃至図１６に基づいて本発明の第３実施形態を説明する。但し、第１、第２実施形態と同一の名称、同番号のものは第１、第２実施形態と同様であるので、その具体的な説明は省略する。図１２は本実施形態における顕微鏡部の光学系の構成を示す説明図、図１３は図１２において紙面左方向から見た光学系の側面図であり、術者は図１２において紙面右側に位置する。図１４は指標投影手段の駆動制御を示すブロック図、図１５（Ａ）（Ｂ）は顕微鏡の焦準状態における顕微鏡焦点面と観察対象物の関係を示す説明図であって、（Ｂ）は（Ａ）において紙面左方向から見た状態のものである。図１６（Ａ）（Ｂ）（Ｃ）はそれぞれ図１５における焦準状態において観察対象物に投影される投影指標の観察視野内における観察像を示す説明図である。
【００３７】
（構成）
図１２及び図１３に従い、顕微鏡部２の光学系について説明する。第１鏡体８内にはレーザーダイオード６０が配置され、このレーザーダイオード６０はＬＤ駆動回路６１によって略円形状のスポット光を発光する。前記レーザーダイオード６０によって発せられたスポット光はリレーレンズ６２によって第１鏡体８内の第３導光手段に導かれる。ここでの第３導光手段はプリズム６３であって、前記リレーレンズ６２と光学的に接続される。また、前記プリズム６３は、その光軸Ｏ5 の導光側光軸部分が観察光軸Ｏ1 ，Ｏ2 を含む平面に直交し、かつその光軸Ｏ5 の導出側光軸部分が、前記観察光軸Ｏ1 ，Ｏ2 を略面対称な位置に配置する平面内において、前記観察光軸Ｏ1 ，Ｏ2 を含む平面以外のアフォーカル光束内になるべく、前記第１鏡体８内においてアフォーカル変倍光学系４１と結像光学系２の間に配置されている。
【００３８】
次に、図１４を参照して制御手段として構成される制御回路６４について説明する。同図中、符号６５は第２判定回路であって、これは判定回路２２からの入力信号と前記ワークステーション２３からの顕微鏡焦点位置信号に応じてＬＤ駆動回路１６ａ，１６ｂ，６１に駆動信号を出力する。また、符号６６は焦点距離可変対物光学系４０を構成するレンズ群間隔を検出し、そのレンズ間隔データから焦点距離可変対物光学系４０の焦点距離を算出し、その算出結果をワークステーション２３に送信する焦点距離検出回路である。
【００３９】
（作用）
以上の構成において、術者はまず、ワークステーション２３を操作し、観察対象物２５における観察目標点を入力する。このような目標点の設定作業に関しては従来のナビゲーション装置にて行われるように、実際の術部上の一点を指示しても、術前診断画像（ＣＴ、ＭＲＩ画像）から構築した３次元画像上で指示しても構わない。ワークステーション２３は観察目標点の３次元空間座標情報をメモリーに登録する。
【００４０】
次に、術者は、前述した第１、第２実施形態と同様に鏡体俯仰アーム３を操作し、観察対象物２５を焦点深度Ｌ内、例えば図１５（Ａ）（Ｂ）における焦点深度Ｌの範囲２６の位置に来るように顕微鏡部２を配置した後、正確な焦準操作を行う。本焦準操作に合わせて観察対象物２５上に略円形状を有する指標を投影するため、前記入力スイッチ２１の入力操作を行う。
【００４１】
すると、前述した第１実施形態と同様に入力信号が判定回路２２に送信され、判定回路２２は顕微鏡部２の観察方向を判定し、指標投影の可否を判断し、可と判断された場合、第２判定回路６５に点灯信号を出力する。また、ワークステーション２３は位置検出装置７によって得られる、顕微鏡部２に取付けられているＬＥＤ６ａ，６ｂ，６ｃの画像情報と焦点距離検出回路６６からの焦点距離信号によって、顕微鏡部２の焦点位置Ｐの３次元空間座標を算出し、前述の観察目標点の３次元空間座標とからその２点間距離を算出し、２点間距離を第２判定回路に送信する。第２判定回路は２点間距離とあらかじめ設定されている比較基準値（例えば１０ｍｍや焦点深度距離）と比較し、前記２点間距離の値が比較基準値よりも小さい場合、顕微鏡部２が観察目標点に近い、すなわち顕微鏡部２が観察対象物以外の方向を向いていると判断し、この場合に限ってＬＤ駆動回路１６ａ，１６ｂ，６１に駆動信号を送信する。前記レーザーダイオード１５ａ，１５ｂ，６０は前記ＬＤ駆動回路１６ａ，１６ｂ，６１からの駆動信号によって略円形状のスポット光を発光する。
【００４２】
一方、レーザーダイオード１５ａ，１５ｂ，６０から発せられた３つのスポット光はリレーレンズ１７ａ，１７ｂ，６２によってアフォーカル光束内に導かれた後、ビームスプリッタを用いた導光手段１９ａ，１９ｂおよびプリズム６３によって左右観察光軸Ｏ1 ，Ｏ2 上、及び観察光軸Ｏ1 ，Ｏ2 を含む平面に直交し、かつ、観察光軸Ｏ1 ，Ｏ2 に対し略対称な位置に配置する平面内において、観察光軸Ｏ1 ，Ｏ2 を含む平面に含まれない光軸Ｏ5 としてアフォーカル変倍光学系４１、焦点距離可変対物光学系４０を介して観察対象物２５上に投影される。また、この３つのスポット光は観察視野内において、図１６（Ａ）に示す如く、略円形状を有した指標６７，６８，６９として観察される。
【００４３】
ここで、該３つの指標６７，６８，６９は観察視野内において上方向を示す矢印のごとく三角形７０として観察される。術者はこの三角形７０の形状（矢の向き）から、正確な焦準操作は焦点面２４を上方向に移動させることと判断し、図示しないフットスイッチ等の入力手段によって、焦点距離可変対物光学系４０を操作する。この操作によって焦点面２４は観察対象物２５の存在する焦点深度Ｌの範囲２６の位置に向かって移動し、併せて、指標６７，６８，６９はそれぞれ矢印７１，７２，７３の方向に移動する。焦点面２４が焦点深度Ｌの範囲２６の位置、すなわち焦点位置Ｐが観察対象物２５上のＰ’位置に達した時、図１６（Ｂ）に示すように３つの指標６７，６８，６９は指標７４として観察対象物２５上で合致し、術者は正確な合焦状態を判断する。
【００４４】
一方、観察対象物２５が、図１５（Ａ）（Ｂ）における焦点深度Ｌの範囲２７の位置ある場合、レーザーダイオード１５ａ，１５ｂ，６０から発せられる、３つのスポット光は図１６（Ｃ）に示すように観察視野内において指標７５，７６，７７として観察される。３つの指標７５，７６，７７によって構成される三角形７８は前記三角形７０とは逆向き、すなわち矢の向きが下方向を向いた三角形として表示され、この場合、術者はその三角形７８の形状（矢の向き）から、正確な焦準操作は焦点面２４を下方向へ移動させることと判断し、図示しないフットスイッチ等の入力手段によって焦点距離可変対物光学系４０を操作する。この操作によって焦点面２４は観察対象物２５が存在する焦点深度Ｌの範囲２７の位置に向かって移動し、合わせて、指標７５，７６，７７はそれぞれ矢印７９，８０，８１の方向へ移動し、焦点面２４が焦点深度Ｌの範囲２７の位置、すなわち焦点位置Ｐが観察対象物２５上のＰ”位置に達した時、図１６（Ｂ）に示すように３つの指標６７，６８，６９は指標７４として観察対象物２５上で合致し、術者は正確な合焦状態にあることを判断する。
【００４５】
（効果）
本実施形態では観察対象物２５と焦点面２４の位置がずれている場合、観察対象物上に３つの略円形状の指標が、三角形を成して投影されるため、眼の調整能力による左右像の合致を防止できるとともに、その三角形の矢の向きから焦準方向として、顕微鏡部２の焦点面２４を移動させる向きを術者に告知することが可能となり、焦準操作において焦点面を間違った方向に動かしてしまうことを防止できるので、非常に効率的な焦準作業が可能となる。
【００４６】
また、顕微鏡部２の焦点位置Ｐとあらかじめ定めた観察目標点との距離によって、顕微鏡部２が観察対象物である術部に向かっているかどうかを判断し、レーザーダイオード１５ａ，１５ｂ，６０の点灯を制御するため、より確実に不用意な発光を防止できる。
【００４７】
＜第４実施形態＞
図１７乃至図２０に基づいて本発明の第４実施形態を説明する。但し、第１、第２、第３実施形態と同名称、同番号のものは第１、第２、第３実施形態と同様であるので、具体的な説明は省略する。図１７は本実施形態における顕微鏡部の光学系の構成を示す説明図、図１８は図１７において紙面左方向から見た光学系の側面図である。図１９（Ａ）（Ｂ）（Ｃ）はそれぞれ焦準状態において顕微鏡観察視野内における観察状態を示す説明図である。図２０は指標投影手段の駆動制御を示すブロック図である。
【００４８】
（構成）
本実施形態における顕微鏡部２の構成について説明する。図１７及び図１８で示すように、顕微鏡部２の観察光軸Ｏ2 上において結像光学系１２の焦点位置に作り出される左右眼像の位置には焦点板９０が配置されている。焦点板９０の中心には図１９で示すように、クロス線９１が刻印されている。観察光軸Ｏ1 上において、前記アフォーカル変倍光学系４１と結像光学系１２の間のアフォーカル光束中にはビームスプリッタ９２が配置、固定されている。前記第１鏡体８には撮影鏡筒９３が取付けられ、その撮影鏡筒９３の一端にはスチルカメラ９４が取り付けられる。また、撮影鏡筒９３内にはビームスプリッタ９２による反射光軸Ｏ6 上においてスチルカメラ９４内のフィルム面９６上にその結像点がくるようにするためのリレーレンズ９５が配置、固定されている。また、前記スチルカメラ９４内において光軸Ｏ6 上には図示しないフットスイッチ等に設けられた入力スイッチ１０３による入力信号に応じて開閉するシャッター機構９７が設けられている。
【００４９】
図２０において、符号１０４は本実施形態におけるレーザーダイオード６０の発光を制御する制御手段として構成される判定回路であり、この判定回路１０４は第１実施形態と同様、顕微鏡部２の観察角度情報を得るべく、ワークステーション２３と接続されており、さらにスチルカメラ９４による写真撮影状態を検知するべく、入力スイッチ１０３からの入力信号によってシャッター機構９７を駆動するシャッター駆動回路１０５と電気的に接続されている。
【００５０】
（作用）
以上の構成から、第１、第２、第３実施形態の場合と同様に、術者は正確な焦準作業を行う。入力スイッチ２１を入力することで、第１実施形態と同様に判定回路１０４によってレーザーダイオード６０の点灯可否が判断され、可と判断された場合に限ってＬＤ駆動回路６１からの駆動信号により、レーザーダイオード６０から略円形状のスポット光が発せられる。
【００５１】
そして、観察対象物２５が図１８における焦点深度Ｌの範囲２６の位置にある場合、レーザーダイオード６０による観察対象物２５上へ投影されるスポット光は顕微鏡部２の観察視野内において図１９（Ａ）示すように、指標９８として焦点板９０に刻印されたクロス線９１とともに観察される。この場合、指標９８はクロス線９１の水平線９１ａに対して上方に観察される。この状態で、術者は焦準操作として焦点面２４を上方向に移動すると認識し、焦点距離可変対物光学系４１を操作し、焦点面２４を焦点深度Ｌの範囲２６の位置に向かって移動させ、合わせて観察視野内において指標９８は矢印９９の方向へ移動する。また、焦点面２４が焦点深度Ｌの範囲２６の位置に、すなわち焦点Ｐが観察対象物２５上のＰ’の位置に来た際において、図１９（Ｂ）に示す如く、クロス線９１のクロス中心位置に指標１００として観察される。
【００５２】
逆に、観察対象物２５が焦点深度Ｌの範囲２７の位置に存在する場合には、前記レーザーダイオード６０による観察対象物２５上へ投影されるスポット光は、顕微鏡部２の観察視野内において、図１９（Ｃ）に示すように、指標１０１としてクロス線９１と共に観察される。この場合、指標１０１はクロス線９１の水平線９１ａに対して下方に観察される。この状態で術者は焦準操作として焦点面２４を下方向に移動すると認識し、焦点距離可変対物光学系４０を操作し、焦点面２４を焦点深度Ｌの範囲２７の位置に向かって移動させ、合わせて観察視野内において指標１０１は矢印１０２方向に移動する。焦点面２４が焦点深度Ｌの範囲２７の位置に、すなわち焦点Ｐが観察対象物２５上のＰ”の位置に来た際に、同様に図１９（Ｂ）に示す如く、クロス線９１のクロス中心位置に指標１００として観察される。
【００５３】
一方、手術用顕微鏡部２の観察像は教育や供覧の目的から、頻繁にスチルカメラにて撮影される。本実施形態において顕微鏡観察像を撮影する場合、術者は図示しないフットスイッチ等に設けられた入力スイッチ１０３を操作することで、シャッター駆動回路１０５に入力信号が送信される。シャッター駆動回路１０５はスチルカメラ９４内に設けられているシャッター機構９７にシャッター駆動信号を出力し、シャッター機構９７は開放状態となり、リレーレンズ９５によって、顕微鏡部２の観察像がフイルム面９６上に投影される。
【００５４】
一方、シャッター駆動回路１０５は同時に判定回路１０４にもシャッター駆動信号を出力する。そして、判定回路１０４はシャッター駆動信号によってスチルカメラ９４が撮影状態にあると判断し、ＬＤ駆動回路６１に対して発光停止信号を送信する。この時、レーザーダイオード６０がスポット光の発光状態にある場合、発光停止信号によって、ＬＤ駆動回路６１の駆動が停止され、レーザーダイオード６０によるスポット光の発光が停止される。
【００５５】
（効果）
本実施形態では、観察対象物に一つのスポット光を投影することで、観察対象物２５と焦点面２４の位置がずれている場合、観察視野内において、焦点板に刻印されたクロス線に対して、略円形状を有する指標が、上下方向にずれて観察できるため、前述した第３実施形態と同様な効果、すなわち眼の調整能力による左右像の合致を防止し、さらに顕微鏡部２の焦点面２４を移動させる方向を術者に告知するといったことが、比較的容易かつ安価に実施できる。
【００５６】
また、観察像のスチル写真は教育や供覧の目的で使用されるため、その画質、色彩の劣化は必ず避ける必要がある。本実施形態においては写真撮影時に、強制的にレーザーダイオード６０による発光を停止するため、撮影写真に誤って投影指標が写ってしまうことを防止でき、さらに顕微鏡部２の内部でのレーザー光の散乱によるスチル写真の画質、色彩の劣化を確実に防止できる。
【００５７】
尚、上述した実施形態によれば、物体からの観察像は、顕微鏡部の対物光学系、結像光学系、接眼光学系を介して拡大観察される。一方、手術用顕微鏡の観察状態に応じた出力信号が検出手段から制御手段に送られる。前記制御手段により発光手段が駆動され、該発光手段によって発光されたスポット光が導光手段により、アフォーカル光束中に導かれ、変倍光学系、対物光学系を介して観察対象物上に投影される。
【００５８】
また、撮影手段としては前述したスチルカメラ９４に限らず、電子式カメラ等、他の方式のものを利用して撮影を行ってもよい。さらに、本発明は前述した実施形態のものに限定されるものではない。
【００５９】
＜付記＞  前述した実施形態のものによれば、以下の各事項及びそれらの事項を任意に組み合わせた事項等が得られる。  
（１）物体からの光を入射する単一の対物光学系とアフォーカル変倍光学系とを有し、さらに前記アフォーカル変倍光学系から出射されるアフォーカル光束を左右眼像として結像する左右一対の結像光学系と、前記左右眼像を観察者の左右眼にそれぞれ導く左右一対の接眼光学系とを有する手術用顕微鏡において、スポット光を発光する発光手段と、該発光手段により生じるスポット光を前記アフォーカル変倍光学系と前記結像光学系の間に前記アフォーカル光束中に導く導光手段を設けたことを特徴とする手術用顕微鏡。  
（２）前記アフォーカル変倍光学系が左右一対のアフォーカル変倍光学系からなることを特徴とする付記項１に記載の手術用顕微鏡。  
（３）２つの前記発光手段を有し、各発光手段により生じる２つのスポット光を前記アフォーカル変倍光学系と前記結像光学系の間の前記アフォーカル光束中に、それぞれ導く導光手段を有したことを特徴とする付記項１に記載の手術用顕微鏡。  
（４）物体からの光を入射する単一の対物光学系と単一のアフォーカル変倍光学系とを有し、該単一のアフォーカル変倍光学系から出射されるアフォーカル光束を左右眼像として結像する左右一対の結像光学系と前記左右眼像を観察者の左右眼にそれぞれ導く左右一対の接眼光学系とを有する手術用顕微鏡において、スポット光を発光する発光手段と、該発光手段により生じるスポット光を前記単一のアフォーカル変倍光学系と前記結像光学系の間の前記アフォーカル光束中に導く導光手段とを有したことを特徴とする手術用顕微鏡。  
（５）少なくとも２つ以上の前記発光手段を有し、該発光手段により生じるそれぞれのスポット光を前記単一のアフォーカル変倍光学系と前記結像光学系の間の前記アフォーカル光束中にそれぞれ導く導光手段を有したことを特徴とする付記項４に記載の手術用顕微鏡。  
（６）前記導光手段が左右観察光軸を含む平面に対して略対称な位置に配置されることを特徴とする付記項４に記載の手術用顕微鏡。  
（７）物体からの光を入射し、アフォーカル光束として出射する対物光学系と、前記アフォーカル光束を左右眼像として結像する左右一対の結像光学系と前記左右眼像を観察者の左右眼にそれぞれ導く左右一対の接眼光学系とを有する手術用顕微鏡において、スポット光を発光する３つの発光手段と、該発光手段により生じる３つのスポット光を前記対物光学系と結像光学系の間のアフォーカル光束中のうち、前記結像光学系に導かれるアフォーカル光束内と、前記結像光学系に導かれるアフォーカル光束外の光束内に導く導光手段とを有したことを特徴とする手術用顕微鏡。  
（８）前記発光手段がレーザーダイオードからなることを特徴とする付記項１、４または７に記載の手術用顕微鏡。  
（９）前記発光手段により生じるスポット光が略円形状であることを特徴とする付記項１、４または７に記載の手術用顕微鏡。  
（１０）手術用顕微鏡の観察状態を検知する検出手段と、該検出手段によって得られる検出結果に応じて、前記発光手段の発光を制御する制御手段を有したことを特徴とする付記項１、４または７に記載の手術用顕微鏡。  
（１１）前記検出手段が鏡体位置検出装置からなることを特徴とする付記項10に記載の手術用顕微鏡。  
（１２）前記検出手段が焦準機構駆動回路からなることを特徴とする付記項10に記載の手術用顕微鏡。  
（１３）前記検出手段が写真撮影判定回路からなることを特徴とする付記項10に記載の手術用顕微鏡。
【００６０】
（付記項10〜13の課題）
独国特許４１３４４８１号公報では、その物体面への指標を投影する光としてレーザーダイオードによるレーザー光線を使用している。レーザー光線はその指向性が非常に高いといった性質から、物体への指標投影する際の発光手段としては非常に有効である。その反面、一点に光りが集中するため、その光りが直接、眼に入らないように気を付ける必要がある。特に脳神経外科における手術用顕微鏡はその観察位置、観察角度を頻繁に変えることが要求される。そのため、術者が観察方向を変化させる過程においてその観察方向を略水平状態にしてしまうことが十分に考えられる。このような場合には顕微鏡観察光軸が観察物体面から外れる可能性もあり、この場合を考慮して看護婦などの手術フタッフに常に顕微鏡の観察方向に対して、術者の顕微鏡操作に対して注意を払わなくてはならないといった問題があった。
【００６１】
（付記項10〜13の目的）
付記項10〜13はレーザー光線による指標を観察物体面上に指標を投影する手術用顕微鏡において、レーザー光線が誤って観察物体面以外に投影されるのを防止することを目的としている。  
（付記項10〜13の作用及び効果）
付記項10〜13においては、物体からの観察光束は、対物光学系、結像光学系、接眼光学系を介して拡大観察される。一方、手術用顕微鏡の観察状態に応じた出力信号が検出手段から制御手段に送られる。前記制御手段により発光手段が駆動され、該発光手段によって発光されたスポット光が導光手段により、アフォーカル光束中に導かれ、変倍光学系、対物光学系を介して観察対象物上に投影される。前記顕微鏡の観察状態に応じて観察物体面に指標を投影する発光手段の発光を制御する制御手段を設けたため、不用意な指標の発光、特に前記顕微鏡が観察対象物以外の方向を向いている際の発光を防止でき、看護婦などの手術スタッフが前記顕微鏡の観察状態に注意を払うことなく、眼に指標が入射されるのを未然に防止することが可能となる。
【図面の簡単な説明】
【００６２】
【図１】第１実施形態における手術用顕微鏡においての光学式ナビゲーション装置の顕微鏡位置検出装置を含めたシステムを示す全体的な構成の説明図。
【図２】第１実施形態における手術用顕微鏡の顕微鏡部の構成を示す説明図。
【図３】第１実施形態における手術用顕微鏡の顕微鏡部の光学系の構成を示す説明図。
【図４】第１実施形態における手術用顕微鏡の指標投影手段の駆動制御を示すブロック図。
【図５】第１実施形態における手術用顕微鏡の焦準状態における顕微鏡焦点面と観察対象物の関係を示す状況説明図。
【図６】（Ａ）（Ｂ）（Ｃ）は図５における各焦準状態において観察対象物に投影される投影指標の観察視野における観察像を示す説明図。
【図７】第２実施形態における顕微鏡部の光学系の構成図。
【図８】図７において紙面左方向から見た側面図。
【図９】第２実施形態における顕微鏡の指標投影手段の駆動制御を示すブロック図。
【図１０】第２実施形態における顕微鏡の焦準状態における顕微鏡焦点面と観察対象物の関係を示す状況の説明図。
【図１１】（Ａ）（Ｂ）（Ｃ）は図１０における焦準状態において観察対象物に投影される投影指標の顕微鏡観察視野における観察像を示す説明図。
【図１２】第３実施形態における顕微鏡部の光学系の構成を示す説明図。
【図１３】図１２において紙面左方向から見た光学系の側面図。
【図１４】第３実施形態における顕微鏡の指標投影手段の駆動制御を示すブロック図。
【図１５】（Ａ）（Ｂ）は第３実施形態における顕微鏡の焦準状態における顕微鏡焦点面と観察対象物の関係を示す説明図であって、（Ｂ）は（Ａ）において紙面左方向から見た状態のもの。
【図１６】（Ａ）（Ｂ）（Ｃ）はそれぞれ図１５における焦準状態において観察対象物に投影される投影指標の観察視野内における観察像を示す説明図。
【図１７】第４実施形態における顕微鏡部の光学系の構成を示す説明図。
【図１８】図１７において紙面左方向から見た光学系の側面図。
【図１９】（Ａ）（Ｂ）（Ｃ）は第４実施形態における顕微鏡部の光学系のそれぞれ焦準状態において顕微鏡観察視野内における観察状態を示す説明図。
【図２０】第４実施形態における顕微鏡の指標投影手段の駆動制御を示すブロック図。
【符号の説明】
【００６３】
１…手術用顕微鏡、２…顕微鏡部、７…位置検出装置、９…対物レンズ（対物光学系）、１０…アフォーカル変倍光学系、１２…結像光学系、１３…接眼光学系、１６ａ，１６ｂ…駆動回路、１４…焦準機構、１５ａ，１５ｂ…レーザーダイオード（発光手段）、１６ａ，１６ｂ…駆動回路、１９ａ，１９ｂ…導光手段、２８〜３４…指標。
【図１】
2005161086.tif 000003
【図２】
2005161086.tif 000004
【図３】
2005161086.tif 000005
【図４】
2005161086.tif 000006
【図５】
2005161086.tif 000007
【図６】
2005161086.tif 000008
【図７】
2005161086.tif 000009
【図８】
2005161086.tif 000010
【図９】
2005161086.tif 000011
【図１０】
2005161086.tif 000012
【図１１】
2005161086.tif 000013
【図１２】
2005161086.tif 000014
【図１３】
2005161086.tif 000015
【図１４】
2005161086.tif 000016
【図１５】
2005161086.tif 000017
【図１６】
2005161086.tif 000018
【図１７】
2005161086.tif 000019
【図１８】
2005161086.tif 000020
【図１９】
2005161086.tif 000021
【図２０】
2005161086.tif 000022